(57)【要約】【課題】電子投票システムにおいて、電子投票時の動作画面数を削減し、投票人の操作数が減少することで投票行為をより簡便にし、また、投票カードに格納される選挙情報を装置が誤って更新等しない様に安全性を向上させることを目的とする。【解決手段】投票カード１０７に受付専用領域と投票機専用領域の２つの記憶領域を設け、投票人ごとに投票可能な選挙種を受付専用領域に書き込む。投票権などの情報を書込まれた投票カード１０７を電子投票機１０９に挿入すると、電子投票機１０９は投票可能選挙情報と投票履歴情報から、投票機画面に選挙運営者が指定した選挙順に投票可能な選挙の候補者選択画面を表示し、投票されるとすぐさま次の選挙の候補者選択画面を表示することにより、動作画面数と投票人の操作数が減少し、投票行為をより簡便にする。また、投票カード１０７発行時に書き込むデータ領域（受付専用領域）と投票時に書き込むデータ領域（投票機専用領域）を設け、記録データを更新せず追記していくことにより装置が誤って他方の情報を更新等しない様に安全性を向上する。【選択図】      図１
2004295669.tif 000002
【特許請求の範囲】
【請求項１】
１つまたは２以上の選挙情報に対応する投票権の有無に関する情報を含む投票可能選挙情報と、該投票可能選挙情報に対応する投票状況に関する情報からなる投票状況履歴情報とを有する投票カードと、
該投票カードに、投票人に関する前記投票可能選挙情報を記憶させる手段を有する投票カード発行端末と、
前記１つまたは２以上の選挙情報に対応する候補者選択画面を表示する選挙表示順の情報を有する投票機とを具備し、
該投票機の選挙表示順と、前記投票カードが有する投票可能選挙情報及びと投票状況履歴とに従って、前記候補者選択画面を連続的に表示することを特徴とする電子投票システム。
【請求項２】
１つまたは２以上の選挙情報に対応する投票権の有無に関する情報を含む投票可能選挙情報を記憶する投票可能選挙情報記憶手段と、前記投票可能選挙情報に対応する投票状況に関する情報からなる投票状況履歴を記憶する投票状況履歴記憶手段とを有する投票カードと、
投票人に関する前記投票可能選挙情報を前記投票カードの投票可能選挙情報記憶手段に記憶させる手段を有する投票カード発行端末と、
前記投票人の投票状況を、前記投票カードの投票状況履歴記憶手段に追記的に記憶させていく手段を有する投票機とを具備することを特徴とする電子投票システム。
【請求項３】
１つまたは２以上の選挙情報に対応する投票権の有無に関する情報を含む投票可能選挙情報と、該投票可能選挙情報に対応する投票状況に関する情報からなる投票状況履歴情報とを有する投票カードを使用する電子投票方法において、
該投票カードに、投票人に関する前記投票可能選挙情報を記憶させるステップと、
前記１つまたは２以上の選挙情報に対応する候補者選択画面を表示する選挙表示順の情報と、前記投票カードが有する投票可能選挙情報及びと投票状況履歴とに従って、前記候補者選択画面を連続的に表示するステップとを有することを特徴とする電子投票方法。
【請求項４】
１つまたは２以上の選挙情報に対応する投票権の有無に関する情報を含む投票可能選挙情報を記憶する投票可能選挙情報記憶手段と、前記投票可能選挙情報に対応する投票状況に関する情報からなる投票状況履歴を記憶する投票状況履歴記憶手段を有する投票カードを使用する電子投票方法において、
投票人に関する前記投票可能選挙情報を前記投票カードの投票可能選挙情報記憶手段に記憶させるステップと、
前記投票人の投票状況を、前記投票カードの投票状況履歴記憶手段に追記的に記憶させていくステップを有することを特徴とする電子投票方法。
【発明の詳細な説明】
【０００１】
【発明の属する技術分野】
本発明は、選挙やアンケート投票等において投票カードを用いて電子投票を行う電子投票システム及び方法に関する。
【０００２】
【従来の技術】
選挙の投票は、従来から紙の投票用紙を用いて投票、開票集計作業をおこなっている。この投票システムでは、複数の選挙がある場合に、投票人は投票所の受付けに行き、投票人に該当する選挙の投票用紙を交付する。そして、交付された投票用紙を持って所定の投票所で選挙の投票を行う。１つの投票が終わると次に該当する選挙の投票用紙を受付けで交付してもらい、新たに交付された投票用紙を持って投票するといった順序で投票を行う方式を採用している（１つの投票用紙には１つの選挙に対する候補者を書いて投票する方式を採用している）。
【０００３】
従来の電子投票システムにおいても、以上に述べた紙を用いた投票システムにのっとり、投票人が、選挙の種類ごとの選挙画面を投票毎に選択する方式が採用されている（例えば、特許文献１  図１参照）。投票人は、紙を用いた投票システムの場合の投票用紙に相当する投票カード、例えば複数の選挙において投票人が投票可能な選挙等の情報を記録した投票カードを受け取る（特許文献１  図２参照）。交付された投票カードを投票端末に挿入して、例えば複数の選挙メニューから投票権のある１つの選挙を選択し、候補者選択画面から候補者を選択し投票する。投票が完了すると、まだ投票をしていない選挙を選挙メニューから選択して、候補者選択画面から候補者を選択して投票をする（例えば、特許文献１  図５参照）。
【０００４】
【特許文献１】
特開平０７−５７０１５号公報
【０００５】
【発明が解決しようとする課題】
以上に述べた従来の電子投票システムの課題は、第１に投票人が選挙の種類ごとの選挙画面を投票毎に選択しなければならない点である。複数の選挙の投票を行う場合には、投票人が投票しようとする選挙画面を選択し、投票が終わると、また投票しようとする選挙画面を投票人が選択してから、投票するといった様に選挙の数だけ繰り替えさなければならなかった。このような操作は、投票する作業の観点から効率化が必要である。また、ユーザーインターフェースの観点からも改良が必要である。
【０００６】
第２に、投票の管理を自動化するために用いる投票用紙に相当する、投票カード、例えば複数の選挙において投票人が投票可能な選挙等の情報を記録した投票カード、が持つ情報の安全性の保証である。投票人が投票可能な選挙等の情報や投票済みとなった選挙等の情報は、投票カード内にある例えば磁気テープ等の記憶媒体に格納されているが、データの更新時にエラーが起ってしまった場合などには、それらの情報は保証されないという問題がある。
【０００７】
本発明は、このような従来の構成が有していた問題を解決しようとするものであり、投票人が投票端末の前で、次にどの選挙について投票すればよいのかを意識することなく、１つの投票が完了すると直ちに次の選挙の候補者が選択でき、投票が行えるようにすることで投票の効率化を実現し、また投票カードには、２つの記録領域を設け、記録したデータは更新せずに追記していくことで投票カードに格納する選挙情報の安全性を向上することを目的とするものである。
【０００８】
【課題を解決するための手段】
請求項１記載の発明は、１つまたは２以上の選挙情報に対応する投票権の有無に関する情報を含む投票可能選挙情報と、該投票可能選挙情報に対応する投票状況に関する情報からなる投票状況履歴情報とを有する投票カードと、該投票カードに、投票人に関する前記投票可能選挙情報を記憶させる手段を有する投票カード発行端末と、前記１つまたは２以上の選挙情報に対応する候補者選択画面を表示する選挙表示順の情報を有する投票機とを具備し、該投票機の選挙表示順と、前記投票カードが有する投票可能選挙情報及びと投票状況履歴とに従って、前記候補者選択画面を連続的に表示することを特徴とする電子投票システムである。
【０００９】
また、請求項３記載の発明は、１つまたは２以上の選挙情報に対応する投票権の有無に関する情報を含む投票可能選挙情報と、該投票可能選挙情報に対応する投票状況に関する情報からなる投票状況履歴情報とを有する投票カードを使用する電子投票方法において、該投票カードに、投票人に関する前記投票可能選挙情報を記憶させるステップと、前記１つまたは２以上の選挙情報に対応する候補者選択画面を表示する選挙表示順の情報と、前記投票カードが有する投票可能選挙情報及びと投票状況履歴とに従って、前記候補者選択画面を連続的に表示するステップとを有することを特徴とする電子投票方法である。
【００１０】
上記請求項１及び請求項３記載の発明によると、投票機が持つ選挙表示順情報と投票カードが有する投票可能選挙情報と投票状況履歴に従って、投票人が未投票かつ投票権のある選挙について、候補者選択画面を連続的に表示するこが可能となり、１つの投票が完了するとすぐさま次の選挙の候補者選択画面を表示することにより、動作画面数と投票人の操作数が減少し、投票行為をより簡便にすることができる。
【００１１】
請求項２記載の発明は、１つまたは２以上の選挙情報に対応する投票権の有無に関する情報を含む投票可能選挙情報を記憶する投票可能選挙情報記憶手段と、前記投票可能選挙情報に対応する投票状況に関する情報からなる投票状況履歴を記憶する投票状況履歴記憶手段とを有する投票カードと、投票人に関する前記投票可能選挙情報を前記投票カードの投票可能選挙情報記憶手段に記憶させる手段を有する投票カード発行端末と、前記投票人の投票状況を、前記投票カードの投票状況履歴記憶手段に追記的に記憶させていく手段を有する投票機とを具備することを特徴とする電子投票システムである。
【００１２】
また、請求項４記載の発明は、１つまたは２以上の選挙情報に対応する投票権の有無に関する情報を含む投票可能選挙情報を記憶する投票可能選挙情報記憶手段と、前記投票可能選挙情報に対応する投票状況に関する情報からなる投票状況履歴を記憶する投票状況履歴記憶手段とを有する投票カードを使用する電子投票方法において、投票人に関する前記投票可能選挙情報を前記投票カードの投票可能選挙情報記憶手段に記憶させるステップと、前記投票人の投票状況を、前記投票カードの投票状況履歴記憶手段に追記的に記憶させていくステップとを有することを特徴とする電子投票方法である。
【００１３】
上記請求項２、及び請求項４に記載の投票カードの投票可能選挙情報記憶手段と投票状況履歴記憶手段は、例えば受付専用領域にＩＣチップ、投票機専用領域に磁気のコンビカードなどで物理的に別の領域にしても良いし、例えば１つのＩＣチップ内で記録領域を内部構造で擬似的に分割して用いてもよいし、パスワード等で権限を分化しても良いし、受付と投票機で異なる波長を用いて書込む光記録媒体を用いてもよい。
【００１４】
上記請求項２及び請求項４記載の発明によると、投票所にて発行される投票機を利用するキーとなる投票カードに、投票機で書込み操作させない受付専用と投票機で書込みを行う投票専用の２つの記録領域を設け、記録データを更新せず追記していくことにより装置が誤って他方の情報を更新しない様に安全性を向上している。
【００１５】
【発明の実施の形態】
以下、本発明の実施形態として一実施例を図１〜図３３に基づいて説明する。
図１は、本発明を実現するためのシステム構成である。
【００１６】
本発明を実現するための電子投票システムは、投票日前に選挙管理委員会が作業をする選挙管理委員会システム１００と、投票日当日の作業システムである投票所システム１０４と、投票完了後の投票結果の開票を行う開票所システム１１０によって構成されている。
【００１７】
選挙管理委員会システム１００では、投票日より前に選挙管理委員会が、立候補者の受付等を行い、どの選挙に対してどのような立候補者がいるのかといった投票所システム１０４に必要なデータを選挙情報入力端末１０１に入力する。選挙情報入力端末１０１への入力はすべてＧＵＩ（Ｇｒａｐｈｉｃａｌ  ＵｓｅｒＩｎｔｅｒｆｒａｃｅ）により実現されており、画面に沿って必要なデータを入力していくだけでよい。後述する投票所システム１０４、開票所システム１１０についても同様である。ただし、前記入力についてはＧＵＩに限定される訳ではない。
【００１８】
全てのデータの入力が完了すると、選挙管理委員会システム１００により選挙情報インストールディスク１０２を作成する。選挙情報インストールディスク１０２には、投票カード１０７発行時に必要な投票所情報（投票所名、投票所コード）、選挙情報（選挙名、選挙種コード、選挙表示順）や投票所サーバ１０８と電子投票機１０９で必要な政党情報（政党名、政党コード）や候補者情報（候補者名、候補者コード、政党コード、選挙種コード）、操作者情報（操作者名、パスワード、権限種類）といったデータを格納する。また、投票所システム１０４での有権者による投票結果を格納するための選挙データの記憶媒体１０３を用意する。
【００１９】
投票所システムでは、投票日当日に、あらかじめ選挙管理委員会システム１００によって作成しておいた選挙情報インストールディスク１０２を用いて、投票カード発行端末１０５及び投票所サーバ１０８に選挙情報データをインストールする。
【００２０】
前記インストール後に投票カード発行端末１０５及び投票所サーバ１０８にて所定の設定を行う（所定の設定については後述）。前記所定の設定終了後に、投票カード発行端末１０５で有権者が持参した投票所入場券と選挙人名簿に基づいて投票カードを発行する。投票所入場券には、選挙の投票日や投票所名、有権者の住所、氏名が記載されており、また選挙人名簿には、有権者毎にどの選挙の選挙権があるかといった情報が記載されている。投票所入場券を持参した有権者が本人であるかを確認の上、選挙人名簿に基づいて投票カード１０７を発行する。
【００２１】
一方、投票所サーバ１０８では、投票所名等の所定の設定すると有権者の投票待ち状態になり、投票人が電子投票機１０９に投票カード１０７を挿入し投票を開始するまでカード挿入待受け画面（図１８）を表示する。ここで、電子投票機１０９は、少なくとも、投票カード１０７に記憶されている情報を読みとる手段と、投票時の候補者選択画面等の各種表示を行うための表示手段と、投票時に必要な候補者を選択する入力手段と、投票所サーバ１０８と情報をやりとりをするための通信手段を備えている。
【００２２】
以下、投票カード発行端末１０５の設定から投票カード１０７発行までの処理を行うシステムである投票カード発行システムと、投票所サーバ１０８の設定から有権者の投票受付処理を行う投票処理システムについて順に説明する。
【００２３】
図４に投票カード発行システムのフローチャートを示す。また、投票カード発行システムの各状態で表示される画面を図５〜図８に示す。投票カード発行端末１０５では、最初に投票カード１０７を発行するための設定を行う。Ｓ４００で、投票カード発行システムを起動すると、図５に示すインストールディスクの設定画面が表示され、インストールディスクを選択する。インストールディスクを選択すると、選挙管理委員会システム１００で作成した選挙情報インストールディスク１０２から投票カード発行端末１０５に選挙情報データが読込まれる。（図４に示すＳ４０１）。
【００２４】
インストールディスクの読込みが終わると、図６に示す日付／時刻の設定画面（図６）が表示され、日付／時刻を設定する（Ｓ４０２）。日付／時刻を設定すると、選挙情報等の設定画面（図７）が表示され、投票所一覧より該当する投票所を選択（Ｓ４０３）し、各選挙に対応する当日の有権者数、その他選挙情報等の設定画面（図７）にあるデータを設定する（Ｓ４０４）。
【００２５】
以上の設定をすることで、投票カード１０７を発行するための設定が終了し、図３に示すデータ（設定された投票所情報３００、カード有効時間情報３０１、選挙情報３０２、政党情報３０３、候補者情報３０４、操作者情報３０５等）が作成される。設定された投票所情報３００は、あらかじめ選挙管理委員会システム１００で作成した選挙情報インストールディスク１０２に格納された投票所の情報を、図４に示すステップＳ４０３において図７の設定画面で設定した投票所名とその投票所名に対応する投票所コードである。カード有効時間情報３０１は、カード発行時刻からの投票カード１０７の有効時間であり、投票時に投票カード１０７を投票機１０９に挿入して図１０のステップＳ１００５の投票カード１０７が有効であるかをチェックする時に使用する。選挙情報３０２、政党情報３０３、候補者情報３０４、操作者情報３０５についても、設定された投票所情報３００と同様にあらかじめ選挙管理委員会システム１００で作成された情報である。選挙情報３０２は、選挙名と選挙名に対応する選挙種コード、選挙表示順の情報で構成されており、選挙表示順の情報は投票者に対してどの順序で選挙の候補者選択画面を表示するか決めるための情報である（図１０のステップＳ１０１０を参照）。政党情報３０３、候補者情報３０４は、投票時の候補者選択画面に表示するための情報である（例えば図１９を参照）。操作者情報３０５は、電子投票システムを操作あるいは管理する権限に関する情報である。例えば、図１２における操作者名とパスワードの情報である。
【００２６】
前記図３に示すデータをもとにカード発行データの設定画面（図８）が表示され、操作者（以下「投票カード発行人」）による、投票カード１０７の発行処理が開始される。投票カード発行人は、有権者が持参した、あらかじめ郵送により送られている選挙カードに基づいて投票人の選挙ごとの選挙権の有無を確認し（Ｓ４０５）、図８に示す投票可能選挙名称８００から投票可能な選挙種類を選択する（Ｓ４０６）。
【００２７】
次に、投票人の性別選択と現在の投票カード発行数８０２で投票人の性別を選択する（Ｓ４０７）。以上の設定が完了すると、図８に示す投票カードを発行する８０３を選択し（Ｓ４０８）、投票カード１０７を発行する。投票所が締切りとなっているかをステップＳ４０９で判別し、投票所が締切りでない場合は、ステップＳ４０５からステップＳ４０８を繰り返し、投票カード１０７を発行する。
【００２８】
投票カード１０７は、図２に示す２つの情報を記憶する領域（投票可能選挙情報記憶手段である受付専用領域２００と投票状況履歴記憶手段である投票機専用領域２０５）を記憶する領域を有している。投票カード１０７を発行する際には、受付専用領域２００に投票カード１０７が発行された時に付加されるカード番号２０１、投票カード１０７を発行した投票所に対応する投票所コード２０２、投票カード１０７を発行した時刻を示す発行時刻情報２０３、投票可能選挙情報２０４が書き込まれる。投票可能選挙情報２０４の選挙名は、図８に示す投票可能選挙名称８００に対応し、投票可能選挙情報２０４の投票権は、図８に示す投票可否に対応する情報である。これら投票可能選挙情報２０４は、ステップＳ４０５、Ｓ４０６で設定した投票人が投票可能な選挙に関する情報である。また、投票機専用領域２０５の情報は、投票人が電子投票機１０９で投票する際に、電子投票機１０９よって更新される情報（図１０に示すステップＳ１０２０を参照）であり、受付専用領域２００の投票可能選挙情報である選挙種について投票人が行った投票履歴（前記投票可能選挙情報２０４の選挙種名に対応した選挙種名とそれら選挙の投票状況である履歴状態）が記憶される。ただし、投票機専用領域２０５は、投票状況履歴２０６の情報のみに限定されない。例えば、投票時に起るシステムエラーの情報等が付加されても良い。システムエラー情報等が付加されることによってエラーの解析、復旧作業が容易になる効果がある。
【００２９】
投票所が締め切りとなった場合（Ｓ４０９）には、カード発行システムを終了する（Ｓ４１０）。
以下、投票処理システムがクライアントサーバ構成の場合について説明をする。ただし、本発明を実現するための構成は、クライアントサーバシステムの構成に限定されない。図９に、投票所サーバ１０８の処理のフローチャートを示す。また、投票所サーバ１０８の処理に対応する表示画面を図１１〜図１７に示す。
【００３０】
まず、投票所サーバ１０８を起動する（Ｓ９００）。投票所サーバ１０８が起動されると図１１に示すインストールディスクの挿入画面が表示される。インストールディスク１０２を挿入してドライブを選択し、選挙情報データをインストールする（Ｓ９０１）。
【００３１】
投票所サーバ１０８に選挙情報データがインストールされると、図１２に示す操作者確認画面が表示され、パスワードを入力する（Ｓ９０２）。次に図１３に示す時刻の設定画面が表示され投票所サーバ１０８の時刻を設定する（Ｓ９０３）。
【００３２】
時刻の設定が完了すると図１４に示す投票所名等設定画面が表示されるので、投票所名一覧から該当する投票所名を選択する（Ｓ９０４）。その他に、図１４の投票所設定画面のカード有効時間情報３０１や選挙設定非表示・表示設定、有効時間あり・なし、有効時間を設定する（Ｓ９０５）。
【００３３】
以上の設定が完了すると、選挙データの記憶媒体１０３の状況を確認し（Ｓ９０６）、選挙データの記憶媒体１０３に投票コードの記録（Ｓ９０７）、開始時刻の記録（Ｓ９０８）が行われ、投票可能な状態になり、図１５に示すデータ０確認画面が表示される。
【００３４】
図１５に示すデータ０確認画面は、最初に投票する投票人によって投票所サーバ１０８に記録されている投票者数が０であることを確認するための画面である。最初に投票する投票人によって、投票所サーバ１０８に記憶されている投票者数が０であることが確認されると、投票所サーバ１０８は、投票待ち状態に入り、図１６に示すサーバ実行中画面を表示する。
【００３５】
投票人が、電子投票機１０９により電子投票を行うと、電子投票機１０９は投票所サーバ１０８に、投票データ登録要求が送信する。投票所サーバ１０８は、投票データ登録要求を受信すると選挙データの記憶媒体１０３に投票データを記録する。（Ｓ９０９）。選挙データの記憶媒体１０３への投票データの登録が完了すると、投票データ登録完了応答を電子投票機１０９に対して送信する（Ｓ９１０）。
【００３６】
ステップＳ９１１において、投票が締め切られたかを判別し、投票が締め切られていない場合には、投票データ登録要求の受信待ち状態に入り、ステップＳ９０９からステップＳ９１０を繰り返すことで電子投票機１０９から送られてくる登録データを選挙データの記憶媒体１０３に記録する。ステップＳ９１１において、投票が締め切られたと判別した場合には、図１６に示すサーバ実行中画面の投票締め切りボタンを押下し、投票締切り電文を送信する（Ｓ９１２）。
【００３７】
ステップＳ９１２の実行が完了すると、図１７に示す有権者数入力画面が表示される。投票日当日の有権者数の入力が完了する（Ｓ９１３）と、投票所サーバ１０８は、ログを自動保存し電源をシャットダウンする（Ｓ９１４）。
【００３８】
次に、図１０に電子投票機１０９の処理のフローチャートを示す。また、電子投票機１０９の各処理における表示画面について図１８〜図３１に示す。
電子投票機１０９を起動すると（Ｓ１０００）、投票所サーバ１０８から選挙情報データと現在の時刻を取得し（Ｓ１００１）、投票カード１０７の挿入待ち状態に入り、図１８に示すカード挿入待受け画面を表示する。
【００３９】
投票人がカード発行機１０６により発行された投票カード１０７を電子投票機１０９に挿入すると（Ｓ１００４）、電子投票機１０９は、投票カード１０７の受付専用領域２００の情報を取得する。受付専用領域の情報に含まれるカード発行時刻情報２０３と電子投票機１０９の現在の時刻の差から図１４の投票所名等設定画面で設定したカード有効時間内であるかをを確認する（Ｓ１００５）。
【００４０】
投票カード１０７のカード有効時間が過ぎていた場合には（Ｓ１００６）、エラー画面を表示してカードを排出する（Ｓ１００７）。投票人は、投票カード１０７を抜き取り（Ｓ１００３）、有効期限内のカードによりあらためてステップＳ１００２からやり直す。
【００４１】
投票カード１０７がカード有効時間内である場合には（Ｓ１００６）、投票カード１０７の受付専用領域２００の情報に含まれる投票可能選挙情報２０４と投票機専用領域２０５の情報に含まれる投票状況履歴２０６を比較して投票済みでない投票可能選挙があるかを照会する（Ｓ１００８）。未投票の選挙があるかチェックをし（Ｓ１００９）、未投票の選挙がない場合には、エラー画面を表示してカードを排出する（Ｓ１００７）。投票カード１０７が抜取られると（Ｓ１００３）、電子投票機１０９は再び投票カード１０７挿入待ちとなり、図１８に示すカード挿入待受け画面を表示する。ステップＳ１００９で、未投票の選挙がある場合には、未投票選挙と選挙情報を照会し、未投票選挙すべての選挙表示順を比較する（Ｓ１０１０）。
【００４２】
ステップＳ１０１０での比較の結果、表示順が最も若い選挙である場合には候補者選択画面（例えば、図１９に示す候補者選択画面（候補者名一覧方式））を表示する（Ｓ１０１２）。投票人は、図１９に示す候補者選択画面（候補者名一覧方式）から候補者を選択する（Ｓ１０１３）。候補者が選択されると、図２０に示す候補者確認画面が表示され、投票人に確認を促す（Ｓ１０１４）。選択した候補者が違っていた場合には、図２０の候補者確認画面で「いいえ」を押下し（Ｓ１０１６）、再度図１９に示す候補者選択画面（候補者名一覧方式）が表示されるので、候補者の選択をやり直すことができる。また、ステップＳ１０１４で表示した図２０の候補者確認画面で「はい」が押下されると（Ｓ１０１５）、投票データ登録要求を投票所サーバ１０８に対して送信する（Ｓ１０１８）。
【００４３】
投票所サーバ１０８から登録完了応答を受信できない場合には（Ｓ１０１９）、エラー画面が表示され、係員が対応することになる。また、投票所サーバ１０８から正常に登録完了応答を受信すると（Ｓ１０１８）、投票カード１０７の投票機専用領域２０５に該当選挙が投票済みとなったことを履歴として記録する（Ｓ１０２０）。
【００４４】
投票可能選挙情報２０４と投票状況履歴２０６を比較し、投票済みでない投票可能選挙があるかを照会する（Ｓ１０２１）。未投票選挙があるかをチェックし（Ｓ１０２３）、未投票選挙がある場合には、ステップＳ１０１０に戻り、候補者選択画面を表示する。
【００４５】
本実施例では、未投票選挙がさらに２つある場合についてステップＳ１０１０からステップＳ１０２２を２回繰り返している場合の表示画面を図２２の候補者選択画面（候補者名５０音式）から図２８の投票中画面に示している。ステップＳ１０２２において、未投票選挙がない場合には、該当する投票人の投票がすべて終了したことを図２９に示す投票完了画面を表示して通知し（Ｓ１０２３）、投票カード１０７を排出する（Ｓ１０２４）。
【００４６】
投票カード１０７が抜取られると（Ｓ１０２５）、投票所サーバ１０８から投票締切り通知が受信されているかをチェックし（Ｓ１０２６）、投票が締切りでない場合には、ステップＳ１００２に戻り、投票カード挿入待受け画面を表示して次の投票人による投票待ち（投票カード１０７挿入待ち）状態となる。ステップＳ１０２６で、投票が締切りである場合には、投票カード１０７のアプリケーションを終了し、電源をシャットダウンする（Ｓ１０２７）。
【００４７】
以上、説明した投票処理システムは、クライアントサーバ構成の場合についての説明であったが、図３２に示すようにスタンドアロン構成でもよい。以下、図３２に沿ってスタンドアロン構成での投票処理システムの処理について説明する。
【００４８】
まず、電子投票機１０９に接続した投票端末を起動する（Ｓ３２００）。投票端末が起動されると図８に示す選挙情報インストール画面が表示される。  インストールディスク１０２を挿入してドライブを選択し、選挙情報データをインストールする（Ｓ３２０１）。投票端末に選挙情報データをインストールすることにより、投票端末へ選挙情報データがダウンロードされる。選挙情報データのダウンロードが完了すると、図１２に示す操作者確認画面が表示され、パスワードを入力する（Ｓ３２０２）。
【００４９】
次に図１３に示す時刻の設定画面が表示され時刻を設定する（Ｓ３２０３）。時刻の設定が完了すると図１４に示す投票所設定画面表示されるので、投票所名一覧から該当する投票所名を選択する（Ｓ３２０４）。その他に、図１４の投票所設定画面のカード有効時間情報３０１や選挙設定非表示・表示設定、有効時間あり・なし、有効時間を設定する（Ｓ３２０５）。
【００５０】
以上の設定が完了すると、選挙データの記憶媒体１０３の状況を確認し（Ｓ３２０６）、選挙データの記憶媒体１０３に投票コードの記録（Ｓ３２０７）、開始時刻の記録（Ｓ３２０８）が行われ、投票可能な状態になり、図１５に示すデータ０確認画面が表示される。
【００５１】
最初に投票する投票人によって、投票所サーバ１０８に記憶されている投票者数が０であることが確認されると、投票カード１０７の挿入待ち状態に入り、図１８のカード挿入待受け画面を表示する（Ｓ３２０９）。投票人が投票カード発行システムにより発行された投票カード１０７を電子投票機１０９に挿入すると（Ｓ３２１１）、電子投票機１０９は、投票カード１０７の受付専用領域２００の情報を取得する。
【００５２】
受付専用領域の情報に含まれるカード発行時刻情報２０３と電子投票機１０９の現在の時刻の差から図１４の投票所名等設定画面で設定したカード有効時間内であるかをを確認する（Ｓ３２１２）。投票カード１０７のカード有効時間が過ぎていた場合には（Ｓ３２１２）、エラー画面を表示してカードを排出する（Ｓ３２１３）。
【００５３】
投票人は、投票カード１０７を抜き取り（Ｓ３２１０）、有効期限内のカードによりあらためてステップＳ１００２からやり直す。投票カード１０７がカード有効時間内である場合には（Ｓ３２１２）、投票カード１０７の受付専用領域２００の情報に含まれる投票可能選挙情報２０４と投票機専用領域２０５の情報に含まれる投票状況履歴２０６を比較して投票済みでない投票可能選挙があるかを照会し、未投票の選挙があるかチェックする（Ｓ３２１４）、未投票の選挙がない場合には、エラー画面を表示してカードを排出する（Ｓ３２１４）。
【００５４】
投票カード１０７が抜取られると（Ｓ３２１０）、電子投票機１０９は再び投票カード１０７挿入待ちとなり、図１８のカード挿入待受け画面を表示する。ステップＳ３２１４で、未投票の選挙がある場合には、未投票選挙と選挙情報３０２の選挙表示順を照会し、最も若い選挙表示順の未投票選挙の候補者選択画面（例えば、図１９に示す候補者選択画面（候補者名一覧方式））を表示する（Ｓ３２１５）。
【００５５】
投票人は、図１９に示す候補者選択画面（候補者名一覧方式）から候補者を選択する。候補者が選択されると、図２０に示す候補者確認画面が表示され、投票人に確認を促し、選択した候補者が違っていた場合には、図２０の候補者確認画面で「いいえ」を押下し、再度図１９に示す候補者選択画面（候補者名一覧方式）が表示されるので、候補者の選択をやり直すことができる。また、ステップＳ３２１５で表示した図２０の候補者確認画面で「はい」が押下されると（Ｓ３２１６）、投票データ登録要求を投票所サーバ１０８に対して送信する（Ｓ３２１７）。
【００５６】
投票所サーバ１０８から正常に登録完了応答を受信すると（Ｓ３２１８）、投票カード１０７の投票機専用領域２０５に該当選挙が投票済みとなったことを履歴として記録する（Ｓ３２１９）。投票可能選挙情報２０４と投票状況履歴２０６を比較し、投票済みでない投票可能選挙があるかを照会する。未投票の選挙があるかをチェックし（Ｓ３２２０）、未投票の選挙がある場合には、ステップＳ３２１５に戻り、未投票選挙と選挙情報３０２の選挙表示順を照会して最も若い選挙表示順の未投票選挙の候補者選択画面を表示する（Ｓ３２１５）。
【００５７】
ステップＳ３２２０において、未投票選挙がない場合には、該当する投票人がの投票がすべて終了したことを図２９の投票完了画面を表示して通知し、投票カード１０７を排出する（Ｓ３２２１）。投票カード１０７が抜取られると、投票所サーバ１０８から投票締切り通知が受信されているかをチェックし（Ｓ３２２２）、投票が締切りでない場合には、ステップＳ３２０９に戻り、投票カード挿入待受け画面を表示して次の投票人による投票待ち（投票カード１０７挿入待ち）状態となる。ステップＳ３２２２で、投票が締切りである場合には、例えば図１６に示すサーバ実行中画面が表示される。図１６のサーバ実行中画面の投票締切りボタン押下に続いて、操作者名、パスワードの入力（Ｓ３２２３）、締切り時刻を登録する画面に沿って締切り時刻の登録（Ｓ３２２４）を実行すると、投票端末端末は、ログを自動保存してシャットダウンする（Ｓ３２２５）。
【００５８】
以上の説明のように投票が終了すると、投票所システム１０４での投票結果が記憶されている選挙データの記憶媒体１０３を開票所システム１１０に送致し開票することとなる。各投票所から集められた選挙データの記憶媒体１０３を、開票装置１１２にセットすると、投票データが読み込まれ、同一の投票所に対して複数の選挙データの記憶媒体１０３がある場合には全ての投票データを読込んで開票・集計処理を行った後、結果を開票所サーバ１１１へ送信する。開票所サーバ１１１は、全ての投票所の開票結果を受信・集計して結果を出力する。
【００５９】
図３３は、本発明で用いる情報処理装置の構成図である。本実施の形態において、選挙管理委員会システム１００の選挙情報入力端末１０１、投票所システム１０４の投票所サーバ１０８と投票カード発行端末１０５、開票所システム１１０の開票所サーバ１１１で使用される。
【００６０】
ＣＰＵ（Ｃｅｎｔｒａｌ  Ｐｒｏｃｅｓｓｉｎｇ  Ｕｎｉｔ）３３０１、メモリ３３０２、外部記憶装置３３０３、媒体駆動装置３３０４、可搬記憶媒体３３０５、入力装置３３０６、出力装置３３０７、ネットワーク接続装置３３０８によって構成されており、可搬記憶媒体３３０５以外の各装置はバス３３０９で接続されている。
【００６１】
ＣＰＵ３３０１は、外部記憶装置３３０３や可搬記憶媒体３３０５内に格納されている必要なプログラム（選挙情報入力端末１０１にあっては選挙情報インストールディスク１０２作成のためのプログラム、投票カード発行端末１０５にあっては投票カード発行システムのプログラム、投票所サーバ１０８にあっては投票サーバのプログラム）をメモリ３３０２にロードする。
【００６２】
さらに、ＣＰＵ３３０１は、入力装置３３０６から入力したデータに対して、メモリ３３０２に格納されたプログラム命令に従って各種の処理を実行する。実行された処理の結果は、外部記憶装置３３０３に保存され、あるいは出力装置３３０７から出力される。
【００６３】
選挙情報入力端末１０１においては、入力装置３３０６から選挙情報インストールディスク１０２を作成するために必要な情報（選挙名、実施日、投票方式、政党名、候補者名、投票所名、操作者情報など）を入力する。入力したデータはメモリ３３０２に格納されたプログラム命令に従って処理され、実行結果が可搬記録媒体３３０５に保存され、選挙情報インストールディスク１０２が作成される。
【００６４】
投票カード発行端末１０５においては、可搬記録媒体３３０５である選挙情報インストールディスク１０２から選挙データをダウンロードし、入力装置３３０６から該当する投票所名、選挙毎の男女別当日有権者数等の初期設定をした後、有権者の性別、投票可能選挙の種類を入力する。入力したデータと選挙情報インストールディスク１０２を基にメモリ３３０２に格納されたプログラム命令に従って処理され、実行結果が可搬記録媒体３３０５である投票カード１０７に保存される。
【００６５】
投票所サーバ１０８においては、可搬記録媒体３３０５の選挙情報インストールディスク１０２から選挙データをダウンロードし、入力装置３３０６から該当する投票所名、カード有効時間等の初期設定をした後、入力装置３３０６又はネットワーク接続装置３３０８を通して接続した電子投票機１０９と通信を開始し、投票データを受信する。投票データの結果は、可搬記録媒体３３０５である選挙データの記憶媒体１０３に保存される。
【００６６】
開票所サーバ１１１においては、可搬記録媒体３３０５である選挙データの記憶媒体１０３から投票データの結果を読み出し、メモリ３３０２に格納されたプログラム命令によって投票データを開票・集計する。全投票所の開票が終了すると開票結果を出力装置３３０７（例えばプリンタ）に出力する。
【００６７】
【発明の効果】
以上説明したように、本発明の電子投票システムは、投票機が持つ選挙表示順情報と投票カードが有する投票可能選挙情報と投票状況履歴に従って、投票人が未投票かつ投票権のある選挙について、候補者選択画面を連続的に表示するこが可能となることで、１つの投票が完了するとすぐさま次の選挙の候補者選択画面を表示することができ、動作画面数と投票人の操作数が減少し、投票行為をより簡便にすることができる。また、投票人が投票端末の前で、次にどの選挙について投票すればよいのかを意識することなく、１つの投票が完了すると直ちに次の選挙の候補者が選択でき、投票が行えるようにすることで効率的な電子投票システムを実現することができる。
【００６８】
また、投票カードには、投票カード発行時のみ書き込みを行う投票可能選挙情報と投票機でのみ書込みを行う投票可能選挙情報２つの記録領域を設け、記録データを更新せず追記していくことにより、装置が誤って他の情報を更新しない様にでき、安全性を向上することができる。
【図面の簡単な説明】
【図１】電子投票システムの全体図である。
【図２】投票カードに格納するデータ情報の構成図である。
【図３】投票所サーバと電子投票機に格納されるデータ情報の構成図である。
【図４】投票カード発行システムフローチャートである。
【図５】インストールディスクの設定画面の図である。
【図６】日付時刻の設定画面の図である。
【図７】選挙情報等設定画面の図である。
【図８】カード発行データの設定画面の図である。
【図９】投票所サーバ処理のフローチャートである。
【図１０】電子投票機処理のフローチャートである。
【図１１】インストールディスクの挿入画面の図である。
【図１２】操作者名とパスワード入力画面の図である。
【図１３】サーバ日付時刻設定画面の図である。
【図１４】投票所名等設定画面の図である。
【図１５】データ０確認画面の図である。
【図１６】サーバ実行中画面の図である。
【図１７】有権者数入力画面の図である。
【図１８】投票機画面例の投票カード挿入待受け画面の図である。
【図１９】投票機画面例の候補者選択画面（候補者名一覧方式）の図である。
【図２０】投票機画面例の候補者確認画面の図である。
【図２１】投票機画面例の投票中画面の図である。
【図２２】投票機画面例の候補者選択画面（候補者名５０音式）の図である。
【図２３】投票機画面例の候補者選択画面（候補者名５０音式一覧）の図である。
【図２４】投票機画面例の候補者確認画面の図である。
【図２５】投票機画面例の投票中画面の図である。
【図２６】投票機画面例の候補者選択画面（テンキー方式）の図である。
【図２７】投票機画面例の候補者確認画面の図である。
【図２８】投票機画面例の投票中画面の図である。
【図２９】投票機画面例の投票完了画面の図である。
【図３０】投票機画面例の投票カード返却画面の図である。
【図３１】投票機画面例の投票カード挿入待受け画面の図である。
【図３２】スタンドアロン構成時の投票所システムのフローチャートである。
【図３３】情報処理装置の構成図である。
【符号の説明】
１０４  投票所システム
１０５  投票カード発行端末
１０６  カード発行機
１０７  投票カード
１０８  投票所サーバ
１０９  電子投票機
２００  受付専用領域
２０４  投票可能選挙情報
２０５  投票機専用領域
２０６  投票状況履歴
３０２  選挙情報
３０４  候補者情報
８００  投票可能選挙名称
８０１  当日有権者数
８０２  選挙人の性別選択と現在の投票カード発行数
８０３  投票カードを発行するボタン
【図１】
2004295669.tif 000003
【図２】
2004295669.tif 000004
【図３】
2004295669.tif 000005
【図４】
2004295669.tif 000006
【図５】
2004295669.tif 000007
【図６】
2004295669.tif 000008
【図７】
2004295669.tif 000009
【図８】
2004295669.tif 000010
【図９】
2004295669.tif 000011
【図１０】
2004295669.tif 000012
【図１１】
2004295669.tif 000013
【図１２】
2004295669.tif 000014
【図１３】
2004295669.tif 000015
【図１４】
2004295669.tif 000016
【図１５】
2004295669.tif 000017
【図１６】
2004295669.tif 000018
【図１７】
2004295669.tif 000019
【図１８】
2004295669.tif 000020
【図１９】
2004295669.tif 000021
【図２０】
2004295669.tif 000022
【図２１】
2004295669.tif 000023
【図２２】
2004295669.tif 000024
【図２３】
2004295669.tif 000025
【図２４】
2004295669.tif 000026
【図２５】
2004295669.tif 000027
【図２６】
2004295669.tif 000028
【図２７】
2004295669.tif 000029
【図２８】
2004295669.tif 000030
【図２９】
2004295669.tif 000031
【図３０】
2004295669.tif 000032
【図３１】
2004295669.tif 000033
【図３２】
2004295669.tif 000034
【図３３】
2004295669.tif 000035